(57)【特許請求の範囲】
【請求項１】
アンテナシステムと、信号処理装置とを備えた基地局装置であって、
前記信号処理装置は、前記アンテナシステムの外部に設置されるとともに、アナログの送信信号の増幅及び信号処理を行うように構成され、増幅及び信号処理を行った前記送信信号を前記アンテナシステムへ与え、
前記アンテナシステムは、
前記送信信号が与えられ、前記送信信号を複数に分配する分配器と、
前記分配器により分配された複数の前記送信信号を増幅する複数の第１増幅器と、
前記複数の第１増幅器により増幅された複数の前記送信信号を送信する複数のアンテナ素子と、
前記分配器と、前記複数の第１増幅器との間に設けられ、前記分配器により分配された複数の前記送信信号の位相調整を行う第１移相器と、
を備えている基地局装置。
【請求項２】
前記第１移相器は、半導体を用いた移相器である請求項１に記載の基地局装置。
【請求項３】
前記第１移相器は、前記分配器により分配された複数の前記送信信号それぞれに対応して複数設けられている請求項１又は２に記載の基地局装置。
【請求項４】
前記分配器は、前記アンテナシステムの外部に設置された信号処理装置であって前記送信信号の増幅及び信号処理を行う前記信号処理装置から前記送信信号が与えられるように構成されており、
前記信号処理装置との間で前記送信信号の授受を行うための信号線を接続する接続端子をさらに備えている請求項１から請求項３のいずれか一項に記載の基地局装置。
【請求項５】
前記複数のアンテナ素子が受信する複数の受信信号を増幅する複数の第２増幅器と、
前記複数の第２増幅器が増幅した前記複数の受信信号を合成する合成器と、
前記複数の第２増幅器と、前記合成器との間に設けられ、前記複数の第２増幅器により増幅された複数の前記受信信号の位相調整を行う第２移相器と、
をさらに備えている請求項１から請求項４のいずれか一項に記載の基地局装置。
【請求項６】
アンテナシステムと、信号処理装置とを備えた基地局装置であって、
前記アンテナシステムは、
アナログの受信信号を受信する複数のアンテナ素子と、
前記複数のアンテナ素子が受信した複数の前記受信信号を増幅する複数の増幅器と、
前記複数の増幅器が増幅した複数の前記受信信号を合成する合成器と、
前記複数の増幅器と、前記合成器との間に設けられ、前記複数の増幅器により増幅された複数の前記受信信号の位相調整を行う移相器と、
を備え、
前記信号処理装置は、前記アンテナシステムの外部に設置されるとともに、前記合成器の出力が与えられ、前記合成器の出力の増幅及び信号処理を行うように構成されている基地局装置。
【発明の詳細な説明】
【技術分野】
【０００１】
本発明は、無線通信システムの基地局装置に関する。
【背景技術】
【０００２】
従来から携帯電話等の無線通信システムにおける基地局装置には、複数のアンテナ素子によってアレイが構成されているアンテナシステムが用いられている。
上記従来のアンテナシステムでは、各アンテナ素子から送受信される信号の位相を調整することで、チルト角が可変とされている場合がある（例えば、非特許文献１参照）。
【先行技術文献】
【非特許文献】
【０００３】
【非特許文献１】長敬三、山口良、蒋恵玲，「次世代移動通信システム実現に向けた基地局・端末アンテナ技術」，電子情報通信学会論文誌，電子情報通信学会，２００８／９  Ｖｏｌ．Ｊ９１−Ｂ  Ｎｏ．９  ｐｐ８８６−９００
【発明の概要】
【発明が解決しようとする課題】
【０００４】
上記非特許文献１に記載されている基地局装置のアンテナシステムは、所定数のアンテナ素子を一単位としたサブアレイごとに位相を制御するように構成されている。
サブアレイごとに位相を制御するように構成されているアンテナシステムの一例を図８に示す。
【０００５】
図８中、アンテナシステム１００は、電力増幅器１０１により増幅された送信信号が与えられる電力分配器１０２と、電力分配器１０２に接続されている複数の移相器１０３と、移相器１０３に接続されている複数のアンテナ素子１０４とを備えている。
移相器１０３は、外部からの制御命令に基づいて、電力分配器１０２から与えられる送信信号の位相を調整する機能を有している。
【０００６】
各移相器１０３には、それぞれ、所定数（図例では３つ）のアンテナ素子１０４が接続されている。よって、アンテナシステム１００では、同じ移相器１０３に接続されている所定数のアンテナ素子１０４による送信信号は、それぞれ同じ移相器１０３によって同じ位相となるように調整される。つまり、同じ移相器１０３に接続されている所定数のアンテナ素子１０４は、サブアレイ１０５を構成している。
【０００７】
ここで、上記アンテナシステム１００は、サブアレイ１０５ごとに送信信号の位相を調整するため、アレイ間隔が互いに隣接するアンテナ素子同士の間隔よりも実質的に広がることとなる。このため、チルト角を比較的大きく設定しようとすると、各アンテナ素子それぞれから実際に送信される送信信号の位相条件と、複数のアンテナ素子それぞれの送信信号の位相を個別に調整することで得られる理想的な位相条件との間の乖離が大きくなり、サイドローブの増加や利得の低下といった送信特性の劣化が生じる。
【０００８】
そこで例えば、各アンテナ素子１０４それぞれに対応して移相器を設けることが考えられる。
しかし、移相器１０３は電力増幅器１０１によって増幅された比較的大きな電力の送信信号の位相を調整するため、移相器１０３としては大きな電力に対応した大型の移相器が用いられる。
このような大型の移相器１０３を各アンテナ素子１０１それぞれに設けることは、設置スペース確保の観点から困難であり、上記アンテナシステム１００では、移相器１０３を設置することが可能な数が制限されるという問題を有していた。
【０００９】
本発明はこのような事情に鑑みてなされたものであり、移相器の設置が制限されるのを抑制することができる基地局装置を提供することを目的とする。
【課題を解決するための手段】
【００１０】
一実施形態であるアンテナシステムは、アナログの送信信号を複数に分配する分配器と、前記分配器により分配された複数の前記送信信号を増幅する複数の第１増幅器と、前記複数の第１増幅器により増幅された複数の前記送信信号を送信する複数のアンテナ素子と、前記分配器と、前記複数の第１増幅器との間に設けられ、前記分配器により分配された複数の前記送信信号の位相調整を行う第１移相器と、を備えている。
【００１１】
また、一実施形態であるアンテナシステムは、アナログの受信信号を受信する複数のアンテナ素子と、前記複数のアンテナ素子が受信した複数の前記受信信号を増幅する複数の増幅器と、前記複数の増幅器が増幅した複数の前記受信信号を合成する合成器と、前記複数の増幅器と、前記合成器との間に設けられ、前記複数の増幅器により増幅された複数の前記受信信号の位相調整を行う移相器と、を備えている。
【発明の効果】
【００１２】
本発明の基地局装置によれば、チルト角の設定によって生じる送信特性の劣化を抑制することができる。
【図面の簡単な説明】
【００１３】
【図１】一実施形態に係るアンテナシステムを備えた基地局装置の一部を示す図である。
【図２】第１実施形態に係るアンテナシステムが有する送信部の構成を示したブロック図である。
【図３】第１実施形態に係るアンテナシステムが有する受信部の構成を示したブロック図である。
【図４】第２実施形態に係るアンテナシステムを備えた基地局装置の一部を示す図である。
【図５】第２実施形態に係るアンテナシステムの構成を示したブロック図である。
【図６】アンテナモジュールの構成を示すブロック図である。
【図７】評価結果を示すグラフであり、（ａ）は、チルト角が１２度となるように設定した場合の利得を示す図、（ｂ）は、チルト角が３１度となるように設定した場合の利得を示す図である。
【図８】サブアレイごとに位相を制御するように構成されているアンテナシステムの一例を示す図である。
【発明を実施するための形態】
【００１４】
［実施形態の説明］
【００１５】
まず最初に実施形態の内容を列記して説明する。
（１）一実施形態であるアンテナシステムは、
アナログの送信信号を複数に分配する分配器と、
前記分配器により分配された複数の前記送信信号を増幅する複数の第１増幅器と、
前記複数の第１増幅器により増幅された複数の前記送信信号を送信する複数のアンテナ素子と、
前記分配器と、前記複数の第１増幅器との間に設けられ、前記分配器により分配された複数の前記送信信号の位相調整を行う第１移相器と、
を備えている。
【００１６】
上記のように構成されたアンテナシステムによれば、第１移相器は、第１増幅器の前段に設けられるので、第１移相器には第１増幅器によって増幅される前の送信信号が与えられる。増幅前の送信信号は、第１増幅器によって増幅された後の送信信号と比較してより低い電力であるため、処理可能な信号電力が比較的低い小型の移相器を第１移相器として使用することが可能となる。この結果、上記従来例よりも移相器の設置スペースの確保が容易となり、例えば、各アンテナ素子それぞれに第１移相器を設けることが可能となるといったように、移相器の設置が制限されるのを抑制することができる。
【００１７】
（２）上記アンテナシステムにおいて、前記第１移相器は、半導体を用いた移相器であることが好ましく、この場合、例えば、機械式の接点スイッチ等によって線路を切り替える移相器を用いた場合と比較して、より第１移相器を小型化することができるとともに、位相の設定を変更したときにその設定が送信信号の位相に反映されるまでの応答速度が早くなり、これによって送信信号の制御性を高めることができる。
【００１８】
（３）また、上記アンテナシステムにおいて、前記第１移相器は、前記分配器により分配された複数の前記送信信号それぞれに対応して複数設けられていることが好ましい。
この場合、チルト角を比較的大きく設定したとしても、複数のアンテナ素子それぞれから送信される送信信号の位相を個別に調整することができるので、そのチルト角の設定に応じた理想的な位相条件により近い位相条件となるように設定することができる。この結果、チルト角を比較的大きく設定した場合にも、サイドローブの増加や、利得の低下が生じるのを抑制することができる。
【００１９】
（４）また、上記アンテナシステムにおいて、前記分配器は、前記アンテナシステムの外部に設置された信号処理装置であって前記送信信号の増幅及び信号処理を行う前記信号処理装置から前記送信信号が与えられるように構成されている場合、前記信号処理装置との間で前記送信信号の授受を行うための信号線を接続する接続端子をさらに備えていてもよい。
この場合、信号処理装置から与えられる当該信号処理装置が増幅したアナログの送信信号の電力が無線送信に必要な電力に満たない場合や、信号処理装置からのアナログの送信信号の電力をより大きな電力にする必要がある場合に、接続端子を通じて信号処理装置から与えられるアナログの送信信号を、第１増幅器によって補完的に増幅して送信することができる。
【００２０】
（５）上記アンテナシステムにおいて、前記複数のアンテナ素子が受信する複数の受信信号を増幅する複数の第２増幅器と、
前記複数の第２増幅器が増幅した前記複数の受信信号を合成する合成器と、
前記複数の第２増幅器と、前記合成器との間に設けられ、前記複数の第２増幅器により増幅された複数の前記受信信号の位相調整を行う第２移相器と、
をさらに備えていることが好ましい。
この場合、送信信号の位相調整を行う第１移相器に加えて、受信信号の位相調整を行う第２移相器を備えているので、送信信号と受信信号とで位相を独立して調整することができる。この結果、送信信号の位相及び受信信号の位相それぞれを状況に応じて適切に設定することができる。
また、上記のように構成されたアンテナシステムによれば、第２移相器は、第２増幅器の後段に設けられる。例えば、第２移相器が第２増幅器の前段に設けられることによって、アンテナ素子が受信した受信信号が第２増幅器によって増幅される前に第２移相器に与えられたとすると、前記受信信号は第２増幅器によって増幅される前に第２移相器によって減衰するので、第２増幅器において生じる雑音レベルが相対的に上昇しＳ／Ｎ比を劣化させることになる。
この点、上記アンテナシステムによれば、第２移相器が第２増幅器の後段に設けられるので、受信信号を無駄に減衰させることなく増幅でき、Ｓ／Ｎ比の劣化を抑制することができる。
【００２１】
（６）また、一実施形態であるアンテナシステムは、
アナログの受信信号を受信する複数のアンテナ素子と、
前記複数のアンテナ素子が受信した複数の前記受信信号を増幅する複数の増幅器と、
前記複数の増幅器が増幅した複数の前記受信信号を合成する合成器と、
前記複数の増幅器と、前記合成器との間に設けられ、前記複数の増幅器により増幅された複数の前記受信信号の位相調整を行う移相器と、
を備えている。
【００２２】
上記のように構成されたアンテナシステムによれば、移相器は、増幅器の後段に設けられる。
例えば、移相器が増幅器の前段に設けられることによって、アンテナ素子が受信した受信信号が増幅器によって増幅される前に移相器に与えられたとすると、前記受信信号は増幅器によって増幅される前に移相器によって減衰するので、増幅器において生じる雑音レベルが相対的に上昇しＳ／Ｎ比を劣化させることになる。
この点、上記アンテナシステムによれば、移相器が増幅器の後段に設けられるので、受信信号を無駄に減衰させることなく増幅でき、Ｓ／Ｎ比の劣化を抑制することができる。
【００２３】
［実施形態の詳細］
以下、好ましい実施形態について図面を参照しつつ説明する。
〔基地局装置の全体構成について〕
図１は、一実施形態に係るアンテナシステムを備えた基地局装置の一部を示す図である。図中、基地局装置１は、例えば、ＬＴＥ（Ｌｏｎｇ  Ｔｅｒｍ  Ｅｖｏｌｕｔｉｏｎ）が適用される携帯電話用の無線通信システムにおいて基地局装置として用いられるものであり、携帯電話といった移動端末（図示せず）と無線通信を行う機能を有している。
基地局装置１は、図に示すように、ベースバンドユニット（ＢＢＵ：Ｂａｓｅ  Ｂａｎｄ  Ｕｎｉｔ）２と、アクティブアンテナシステム３とを備えている。
【００２４】
ベースバンドユニット２は、当該ベースバンドユニット２から延びる信号伝送路（光伝送路又は電気伝送路）４によってアクティブアンテナシステム３（以下、単にアンテナシステム３ともいう）に接続されている。
【００２５】
ベースバンドユニット２は、上位ネットワーク（図示せず）から与えられる送信データに対してデジタル変調処理を行いデジタル信号である送信ベースバンド信号（Ｉ／Ｑ信号）を生成する機能を有している。
ベースバンドユニット２は、送信データを変調して得た送信ベースバンド信号を信号伝送路４を介してアンテナシステム３に与える。
【００２６】
また、ベースバンドユニット２は、アンテナシステム３から信号伝送路４を介して与えられるデジタル信号である受信ベースバンド信号（Ｉ／Ｑ信号）を取得し、この受信ベースバンド信号に対してデジタル復調処理を行い受信データを生成する機能を有している。
ベースバンドユニット２は、受信ベースバンド信号を復調して得た受信データを上位ネットワークに与える。
【００２７】
このように、ベースバンドユニット２は、無線通信によって送受信されるデータ及びベースバンド信号に対してデジタル変復調処理等の処理を行う機能を有している。
【００２８】
アンテナシステム３は、筐体３ａの内部に無線周波数の信号を送受信するためのアンテナ素子５を複数備えており、基地局装置１が移動端末との間で無線通信を行う際に、当該無線通信に係る無線信号を送受信する機能を有している。
【００２９】
複数のアンテナ素子５は、一対のアンテナ素子群５ａ、５ｂを含んでいる。一方のアンテナ素子群５ａを構成している複数のアンテナ素子５ａ１と、他方のアンテナ素子群５ｂを構成している複数のアンテナ素子５ｂ１とは、互いに偏波方向が異なるように構成されている。
一方のアンテナ素子群５ａを構成している複数のアンテナ素子５ａ１は、垂直方向に所定間隔で配列されている。また、他方のアンテナ素子群５ｂも、垂直方向に所定間隔で配列されている。両アンテナ素子群５ａ、５ｂは、それぞれがアレイアンテナを構成している。
【００３０】
アンテナシステム３は、それぞれがアレイアンテナを構成している一対のアンテナ素子群５ａ、５ｂを備えることで、２つの信号系統によって無線通信に係る無線信号の送受信を行うことができる。
【００３１】
〔アンテナシステムの送信部の構成〕
図２は、第１実施形態に係るアンテナシステム３が有する送信部の構成を示したブロック図である。
アンテナシステム３は、ベースバンドユニット２から延びる信号伝送路４が接続されるインターフェース部（Ｉ／Ｆ）９と、デジタル信号処理部１０と、送信部８とを備えている。
インターフェース部９は、信号伝送路４を介してベースバンドユニット２との間で行われる信号通信に関する処理を行う機能を有している。インターフェース部９は、ベースバンドユニット２から信号伝送路４を介した通信によってデジタル信号である送信ベースバンド信号が与えられると、与えられた送信ベースバンド信号をデジタル信号処理部１０に与える。
【００３２】
デジタル信号処理部１０は、インターフェース部９から与えられる送信ベースバンド信号に対し必要に応じてデジタル信号処理を行った後、送信ベースバンド信号を送信部８に与える。また、デジタル信号処理部１０は、後述するように受信部におけるベースバンド信号の処理も行う。
【００３３】
ここで、ベースバンドユニット２から与えられる送信ベースバンド信号は、第１送信ベースバンド信号と、第２送信ベースバンド信号とを含んでいる。これら２つの送信ベースバンド信号は、それぞれ、上述の２つの信号系統に対応しており、第１送信ベースバンド信号はアンテナ素子群５ａに対応する信号系統に与えられ、第２送信ベースバンド信号はアンテナ素子群５ｂに対応する信号系統に与えられる。
【００３４】
デジタル信号処理部１０は、ベースバンドユニット２から与えられる送信ベースバンド信号の中から第１送信ベースバンド信号と、第２送信ベースバンド信号とを取得し、両信号を送信部８に与える。
【００３５】
送信部８は、ベースバンドユニット２から与えられる送信ベースバンド信号を無線周波数の送信信号に変換するとともに、変換した無線周波数の送信信号を複数のアンテナ素子５それぞれに対して分配する。
送信部８は、アンテナ素子群５ａに対応する信号系統、及びアンテナ素子群５ｂに対応する信号系統の２つの信号系統を有している。よって、デジタル信号処理部１０は、第１送信ベースバンド信号をアンテナ素子群５ａに対応する信号系統に与え、第２送信ベースバンド信号をアンテナ素子群５ｂに対応する信号系統に与える。
なお、両信号系統は、同様の構成なので、以下の説明では、アンテナ素子群５ａに対応する信号系統のみについて説明する。
【００３６】
送信部８は、デジタルアナログ変換器（ＤＡＣ：Ｄｉｇｉｔａｌ  ｔｏ  Ａｎａｌｏｇ  Ｃｏｎｖｅｒｔｅｒ）１１と、処理部１２と、分配器１３とを備えており、アナログ信号に対する信号処理を行うように構成されている。
【００３７】
デジタルアナログ変換器１１は、デジタル信号処理部１０から与えられるデジタル信号である第１送信ベースバンド信号をアナログ信号に変換する機能を有している。
デジタルアナログ変換器１１は、アナログ信号に変換した第１送信ベースバンド信号を当該デジタルアナログ変換器１１の後段に接続された処理部１２に与える。
処理部１２は、デジタルアナログ変換器１１から与えられるＩ信号及びＱ信号からなる第１送信ベースバンド信号を直交変調するとともに、無線周波数のローカル信号を直交変調後の信号に乗算することで無線周波数の信号である送信信号に変換する。
このように、処理部１２は、デジタルアナログ変換器１１から与えられる第１送信ベースバンド信号を送信信号に変換する機能を有している。
【００３８】
処理部１２は、第１送信ベースバンド信号を処理することにより得た送信信号を処理部１２の後段に接続された分配器１３に与える。
分配器１３は、送信信号を複数のアンテナ素子５（５ａ１）それぞれに対応して複数に分配する。
【００３９】
送信部８は、さらに、複数の第１移相器１５と、複数の電力増幅器１６と、複数のアンテナ共用器１７とを備えている。
第１移相器１５、電力増幅器１６、及びアンテナ共用器１７は、複数のアンテナ素子５ａ１それぞれに対応して複数設けられている。よって、第１移相器１５、電力増幅器１６、及びアンテナ共用器１７は、分配器１３と、各アンテナ素子５ａ１との間に設けられている。
【００４０】
分配器１３の後段には、複数の第１移相器１５が接続されている。分配器１３により分配された送信信号は、各第１移相器１５に与えられる。
各第１移相器１５は、分配器１３によって分配された送信信号に対して位相調整を行う。第１移相器１５は、その位相調整に関する設定を外部から制御することができるように構成されている。例えば、複数の第１移相器１５を制御するための制御命令を信号伝送路４を通じてアンテナシステム３に与え、アンテナシステム３のデジタル信号処理部１０が与えられた制御命令に基づいて複数の第１移相器１５の制御を行うように構成することができる。
【００４１】
各第１移相器１５の後段には、電力増幅器１６が接続されている。各第１移相器１５によって位相調整された送信信号は、各電力増幅器１６に与えられる。
各電力増幅器１６は、分配器１３から出力され第１移相器１５によって位相調整された送信信号を増幅する。
【００４２】
各電力増幅器１６の後段には、アンテナ共用器１７が接続されている。
アンテナ共用器１７には、アンテナ素子５ａ１と、後述する受信部とが接続されている。アンテナ共用器１７は、例えば、サーキュレータやデュプレクサ等によって構成されており、アンテナ素子５ａ１を送信部８と、後述する受信部とで共用するための機能を有している。
分配器１３によって分配された送信信号は、各移相器１５に与えられて位相調整された後、各電力増幅器１６に与えられ、当該電力増幅器１６によって増幅された後、アンテナ共用器１７に与えられる。
【００４３】
アンテナ共用器１７は、電力増幅器１６から与えられる信号をアンテナ素子５ａ１に与え、アンテナ素子５ａ１から与えられる受信信号を後述する受信部に与える機能を有している。よって、アンテナ共用器１７は、電力増幅器１６から増幅された送信信号が与えられると、この送信信号をアンテナ素子５ａ１に与える。
各アンテナ共用器１７から各アンテナ素子５ａ１に与えられた送信信号は、各アンテナ素子５ａ１から空間に放射され、無線信号として送信される。
【００４４】
複数の第１移相器１５は、上述のように接続されることで、分配器１３と、複数の電力増幅器１６との間であって、電力増幅器１６の前段に設けられている。
複数の第１移相器１５は、分配器１３によって分配された送信信号それぞれに対して位相調整を行うことによって、送信信号が複数のアンテナ素子５ａ１のそれぞれから無線信号として送信されたときのアンテナ素子群５ａとしてのチルト角を調整することができる。
なお、チルト角とは、アンテナ素子群５ａから送信される無線信号が形成するビームの水平方向に対する角度である。
【００４５】
上記構成のアンテナシステム３によれば、第１移相器１５は、電力増幅器１６の前段に設けられているので、第１移相器１５には電力増幅器１６によって増幅される前の送信信号が与えられる。増幅前の送信信号は、電力増幅器１６によって増幅された後の送信信号と比較してより低い電力であるため、処理可能な信号電力が比較的低い小型の移相器を第１移相器１５として使用することが可能となる。この結果、第１移相器１５の設置スペースの確保が容易となり、本実施形態のように、各アンテナ素子５ａ１それぞれに第１移相器１５を設けることが可能となるといったように、第１移相器１５の設置が制限されるのを抑制することができる。
【００４６】
また、上述のように、処理可能な信号電力が比較的低い小型の移相器を第１移相器１５として使用することが可能となるので、半導体を用いた移相器によって第１移相器１５を構成することができる。
この場合、例えば、機械式の接点スイッチ等によって線路を切り替える移相器を用いた場合と比較して、より第１移相器１５を小型化することができるとともに、位相の設定を変更したときにその設定が送信信号の位相に反映されるまでの応答速度が早くなり、これによって送信信号の制御性を高めることができる。
【００４７】
なお、上記半導体を用いた移相器としては、半導体スイッチによって線路を切り替えるように構成された移相器や、９０度ハイブリッドカプラ及びバラクタダイオードを用いた反射型移相器、ベクトルモジュレータ等を採用することができる。
【００４８】
また、本実施形態において、第１移相器１５は、分配器１３により分配された複数の送信信号それぞれに対応して複数設けられているので、チルト角を比較的大きく設定したとしても、複数のアンテナ素子５ａ１それぞれから送信される送信信号の位相を個別に調整することができ、チルト角の設定に応じた理想的な位相条件により近い位相条件となるように設定することができる。この結果、チルト角を比較的大きく設定した場合にも、サイドローブの増加や、利得の低下が生じるのを抑制することができる。
【００４９】
〔アンテナシステムの受信部の構成〕
図３は、第１実施形態に係るアンテナシステム３が有する受信部の構成を示したブロック図である。なお、受信部も、アンテナ素子群５ａに対応する信号系統、及びアンテナ素子群５ｂに対応する信号系統の２つの信号系統を有している。これら２つの信号系統は同様の構成なので、図３においても、アンテナ素子群５ａに対応する信号系統のみについて説明する。
【００５０】
図において、アンテナシステム３の受信部２０は、複数のアンテナ素子５ａ１それぞれが受信する受信信号をベースバンド信号に変換し、ベースバンドユニット２に与える。
【００５１】
図３に示すように、受信部２０は、複数の低雑音増幅器２１と、複数の第２移相器２２と、合成器２３と、処理部２４と、アナログデジタル変換器２５（ＡＤＣ：Ａｎａｌｏｇ  ｔｏ  Ｄｉｇｉｔａｌ  Ｃｏｎｖｅｒｔｅｒ）とを備えており、アナログ信号に対する信号処理を行うように構成されている。
【００５２】
低雑音増幅器２１は、アンテナ共用器１７（図２）に接続されている。各アンテナ共用器１７は、各低雑音増幅器２１に対して、各アンテナ素子５ａ１が受信したアナログ信号である無線周波数の受信信号を与える。
低雑音増幅器２１は、受信信号を増幅して、当該低雑音増幅器２１の後段に接続されている第２移相器２２に与える。
第２移相器２２は、低雑音増幅器２１によって増幅された受信信号に対して移相調整を行う。第２移相器２２は、第１移相器１５と同様、半導体を用いた移相器で構成されている。
【００５３】
第２移相器２２は、その位相調整に関する設定を外部から制御することができるように構成されている。例えば、複数の第２移相器２２を制御するための制御命令を信号伝送路４を通じてアンテナシステム３に与え、アンテナシステム３のデジタル信号処理部１０が与えられた制御命令に基づいて複数の第２移相器２２の制御を行うように構成することができる。
【００５４】
各第２移相器２２の後段には、合成器２３が接続されている。各第２移相器２２によって位相調整された受信信号は、合成器２３に与えられる。
合成器２３は、各第２移相器２２から与えられる受信信号同士を合成し、合成信号（受信信号）を出力する。
【００５５】
合成器２３が出力する合成信号は、当該合成器２３の後段に接続されている処理部２４に与えられる。
処理部２４は、合成器２３から与えられる合成信号に対してベースバンド周波数のローカル信号を乗算することで合成信号を中間周波数の信号に変換するとともに、中間周波数の信号を直交復調することでベースバンド信号（第１受信ベースバンド信号）に変換する。
このように、処理部２４は、合成器２３から与えられる合成信号をベースバンド信号に変換する機能を有している。
【００５６】
処理部２４は、合成信号を処理することにより得た第１受信ベースバンド信号を、処理部２４の後段に接続されているアナログデジタル変換器２５に与える。
【００５７】
アナログデジタル変換器２５は、処理部２４から与えられるアナログの第１受信ベースバンド信号をデジタル信号に変換する機能を有している。
アナログデジタル変換器２５は、デジタル信号に変換した第１受信ベースバンド信号をデジタル信号処理部１０に与える。
【００５８】
なお、デジタル信号処理部１０には、図３にて示したアンテナ素子群５ａに対応する信号系統からの第１受信ベースバンド信号の他、アンテナ素子群５ｂに対応する信号系統からの第２受信ベースバンド信号も与えられる。
【００５９】
デジタル信号処理部１０は、アナログデジタル変換器２５から与えられる第１受信ベースバンド信号及び第２受信ベースバンド信号に対し必要に応じてデジタル信号処理を行った後、第１受信ベースバンド信号及び第２受信ベースバンド信号を含んだ受信ベースバンド信号をインターフェース部９に与える。
インターフェース部９は、デジタル信号処理部１０から与えられる受信ベースバンド信号を、信号伝送路４を介した通信によってベースバンドユニット２に与える。
【００６０】
複数の第２移相器２２は、上述のように接続されることで、複数の低雑音増幅器２１と、合成器２３との間に設けられている。つまり、第２移相器２２は、低雑音増幅器２１の後段に設けられている。
複数の第２移相器２２は、複数の低雑音増幅器２１によって増幅された複数の受信信号の位相調整を行う。これによって、複数の第２移相器２２は、複数のアンテナ素子５ａ１によって受信信号が受信されたときのアンテナ素子群５ａとしてのチルト角を調整することができる。
【００６１】
上記のように本実施形態では、送信信号である送信信号の位相調整を行う第１移相器１５に加えて、受信信号の位相調整を行う第２移相器２２を備えているので、送信信号と受信信号とで位相を独立して調整することができる。この結果、送信信号の位相及び受信信号の位相それぞれを状況に応じて適切に設定することができる。
【００６２】
また、本実施形態では上述のように、第２移相器２２は、低雑音増幅器２１の後段に設けられる。
例えば、第２移相器２２が低雑音増幅器２１の前段に設けられることによって、アンテナ素子５が受信した受信信号が低雑音増幅器２１によって増幅される前に第２移相器２２に与えられたとすると、前記受信信号は低雑音増幅器２１によって増幅される前に第２移相器２２によって減衰するので、その後受信信号が増幅される低雑音増幅器２１において生じる雑音レベルが相対的に上昇し、Ｓ／Ｎ比を劣化させることになる。
この点、本実施形態によれば、第２移相器２２が低雑音増幅器２１の後段に設けられているので、受信信号を無駄に減衰させることなく増幅でき、Ｓ／Ｎ比の劣化を抑制することができる。
【００６３】
なお、送信部８では、第１移相器１５に与えられる送信信号の電力を抑制することができるように第１移相器１５を電力増幅器１６の前段に設けたが、アンテナ素子５が受信する受信信号は、送信部８の第１移相器１５に与えられる送信信号と比較して信号電力が大きくない。
このため、受信部２０では、第２移相器２２に与えられる信号電力を抑制することよりも、信号電力が減衰を抑制することを優先し、第２移相器２２を低雑音増幅器２１の後段に設けることで、Ｓ／Ｎ比の劣化を抑制するように構成されている。
【００６４】
〔他の実施形態について〕
図４は、第２実施形態に係るアンテナシステム３を備えた基地局装置の一部を示す図である。
本実施形態のアンテナシステム３は、ベースバンドユニット２との間にリモートラジオヘッド（ＲＲＨ：Ｒｅｍｏｔｅ  Ｒａｄｉｏ  Ｈｅａｄ）３０を介して接続されている点、及びデジタル信号処理部１０や、デジタルアナログ変換器１１、処理部１２、アナログデジタル変換器２５、処理部２４を備えていない点で第１実施形態と相違している。
【００６５】
本実施形態のアンテナシステム３は、上記第１実施形態と同様、それぞれがアレイアンテナを構成している一対のアンテナ素子群５ａ、５ｂを含む複数のアンテナ素子５を備えており、２つの信号系統によって無線通信に係る無線信号の送受信を行う。
【００６６】
ベースバンドユニット２は、信号伝送路（光伝送路又は電気伝送路）３１によってリモートラジオヘッド３０に接続されている。
ベースバンドユニット２は、上位ネットワークから与えられる送信データを変調した送信ベースバンド信号を信号伝送路３１を介してリモートラジオヘッド３０に与える。
また、ベースバンドユニット２は、リモートラジオヘッド３０から信号伝送路３１を介して与えられるデジタル信号である受信ベースバンド信号を取得し、この受信ベースバンド信号に対してデジタル復調処理を行い受信データを生成する機能を有している。
ベースバンドユニット２は、受信ベースバンド信号を復調して得た受信データを上位ネットワークに与える。
【００６７】
なお、第１実施形態と同様、ベースバンドユニット２から与えられる送信ベースバンド信号は、第１送信ベースバンド信号と、第２送信ベースバンド信号とを含んでいる。これら２つの送信ベースバンド信号は、それぞれ、上述の２つの信号系統に対応しており、第１送信ベースバンド信号はアンテナ素子群５ａに対応する信号系統に与えられ、第２送信ベースバンド信号はアンテナ素子群５ｂに対応する信号系統に与えられる。
【００６８】
リモートラジオヘッド３０には、当該リモートラジオヘッド３０から延びる一対の同軸ケーブル３２が設けられている。一対の同軸ケーブル３２は、アンテナシステム３の筐体３ａに設けられた一対のＲＦコネクタ３３に接続されている。一対の同軸ケーブル３２及び一対のＲＦコネクタ３３は、一方がアンテナ素子群５ａに対応する信号系統に含まれており、他方がアンテナ素子群５ｂに対応する信号系統に含まれている。
【００６９】
また、リモートラジオヘッド３０には、当該リモートラジオヘッド３０から延びる制御ケーブル３４が設けられている。制御ケーブル３４は、筐体３ａに設けられた制御用コネクタ３５に接続されている。
リモートラジオヘッド３０は、一対の同軸ケーブル３２及び制御ケーブル３４を介してアンテナシステム３に接続されている。
【００７０】
リモートラジオヘッド３０は、ベースバンドユニット２から与えられるデジタル信号である送信ベースバンド信号から第１送信ベースバンド信号と、第２送信ベースバンド信号とを取得し、両信号をアナログ信号の無線周波数の送信信号（アンテナ素子群５ａに対応する送信信号、及びアンテナ素子群５ｂに対応する送信信号）に変換し、さらに変換した送信信号を増幅する機能を有している。リモートラジオヘッド３０は、両送信ベースバンド信号を変換し増幅した両送信信号を一対の同軸ケーブル３２を介してアンテナシステム３に与える。
【００７１】
また、リモートラジオヘッド３０は、一対の同軸ケーブル３２それぞれを介してアンテナシステム３から与えられるアナログ信号である２つの無線周波数の受信信号（アンテナ素子群５ａの受信信号を合成した合成信号、及びアンテナ素子群５ｂの受信信号を合成した合成信号）を増幅し、デジタル信号である受信ベースバンド信号に変換する機能を有している。リモートラジオヘッド３０は、デジタルの受信ベースバンド信号を信号伝送路７を介してベースバンドユニット２に与える。
【００７２】
つまり、リモートラジオヘッド３０は、第１実施形態にて示したアンテナシステム３が有するデジタル信号処理部１０としての信号処理機能の他、送信部８が有するデジタルアナログ変換器１１、及び処理部１２としての機能を有している。さらに、リモートラジオヘッド３０は、受信部２０が有する処理部２４、及びアナログデジタル変換器２５としての信号処理機能も有している。
【００７３】
すなわち、リモートラジオヘッド３０は、アンテナシステム３の外部に設置され送受信信号の増幅及び信号処理を行う信号処理装置を構成している。
【００７４】
また、アンテナシステム３は、後述するように、当該アンテナシステム３によって送受信される送受信信号の位相及び振幅を調整する機能を有している。
ベースバンドユニット２は、リモートラジオヘッド３０を介して、アンテナシステム３に対して、送受信信号の位相調整及び振幅調整を制御するための制御命令を与え、アンテナシステム３を制御することができる。
アンテナシステム３を制御するための制御命令は、信号伝送路３１を通じてリモートラジオヘッド３０に与えられ、さらにリモートラジオヘッド３０から制御ケーブル３４を通じてアンテナシステム３に与えられる。
【００７５】
図５は、第２実施形態に係るアンテナシステム３の構成を示したブロック図である。
アンテナシステム３は、一対のＲＦコネクタ３３に接続された一対の電力分配合成部４０と、一対の電力分配合成部４０それぞれに接続された多数のアンテナモジュール４１とを備えている。
【００７６】
一対の電力分配合成部４０及び多数のアンテナモジュール４１の内、紙面左側に位置する一方の電力分配合成部４０及び当該一方の電力分配合成部４０に接続されている複数のアンテナモジュール４１がアンテナ素子群５ａに対応する信号系統を構成しており、他方の電力分配合成部４０及び当該他方の電力分配合成部４０に接続されている複数のアンテナモジュール４１がアンテナ素子群５ｂに対応する信号系統を構成している。
なお、両信号系統は、同様の構成なので、以下の説明では、アンテナ素子群５ａに対応する信号系統のみについて説明する。
【００７７】
電力分配合成部４０は、ＲＦコネクタ３３に接続されている。これにより、ＲＦコネクタ３３に接続されている同軸ケーブル３２を介してリモートラジオヘッド３０からの送信信号が電力分配合成部４０に与えられる。
【００７８】
電力分配合成部４０は、リモートラジオヘッド３０から与えられる送信信号を当該電力分配合成部４０に接続されている各アンテナモジュール４１に分配する機能を有している。
また、電力分配合成部４０は、各アンテナモジュール４１から与えられる受信信号を合成し、その合成した合成信号（受信信号）をＲＦコネクタ３３及び同軸ケーブル３２を介してリモートラジオヘッド３０に出力する機能を有している。
【００７９】
各アンテナモジュール４１は、アンテナ素子５ａ１を備えており、電力分配合成部４０から与えられる送信信号をアンテナ素子５ａ１から送信するとともに、アンテナ素子５ａ１によって受信した受信信号を電力分配合成部４０に与える機能を有している。
一方の電力分配合成部４０に接続されている複数のアンテナモジュール４１が備えている各アンテナ素子５ａ１は、アンテナ素子群５ａ（図４）を構成している。
なお、他方の電力分配合成部４０に接続されている複数のアンテナモジュール４１は、アンテナ素子５ｂ１を備えており、アンテナ素子群５ｂ（図４）を構成している。
【００８０】
また、各アンテナモジュール４１は、アンテナ素子５ａ１によって送受信される送受信信号の位相及び振幅を調整する機能を有している。
アンテナシステム３は、制御用コネクタ３５に接続された制御用インターフェース部（制御用Ｉ／Ｆ）４２を備えている。制御用インターフェース部４２には、制御ケーブル３４及び制御用コネクタ３５を介してアンテナシステム３を制御するための制御命令が与えられる。
【００８１】
制御用インターフェース部４２は、アンテナシステム３を制御するための制御命令が与えられると、その制御命令を対応する各アンテナモジュール４１に与える。
制御命令が与えられたアンテナモジュール４１は、制御命令に基づいて、送受信信号の位相及び振幅を調整する。各アンテナモジュール４１は、制御命令によって個別的に制御される。
なお、アンテナシステム３の制御を行うための構成である制御用インターフェース部４２や、制御用コネクタ３５、制御ケーブル３４は、ＡＩＳＧ（Ａｎｔｅｎｎａ  Ｉｎｔｅｒｆａｃｅ  Ｓｔａｎｄａｒｄｓ  Ｇｒｏｕｐ）規格に準拠している。
【００８２】
図６は、アンテナモジュール４１の構成を示すブロック図である。
アンテナモジュール４１は、アンテナ素子５ａ１と、アンテナ素子５ａ１が接続されている第１共用器５０と、電力分配合成部４０に接続されている第２共用器５１とを備えている。これら両共用器５０、５１は、アンテナ素子５ａ１を信号の送受信で共用するための機能を有している。
【００８３】
アンテナモジュール４１は、さらに、第１共用器５０と、第２共用器５１との間に、第１可変減衰器５２と、第１移相器５３と、電力増幅器５４とを備えている。
第２共用器５１には、電力分配合成部４０によって分配された送信信号が与えられる。第２共用器５１は、電力分配合成部４０から与えられる送信信号を第２共用器５１に接続された第１可変減衰器５２に与える。
【００８４】
第１可変減衰器５２は、与えられる送信信号の振幅を調整する機能を有している。また、第１可変減衰器５２は、制御用インターフェース部４２から与えられる制御命令に基づいて、送信信号の振幅を調整する。
第１可変減衰器５２は、振幅を調整した送信信号を当該第１可変減衰器５２の後段に接続された第１移相器５３に与える。
【００８５】
第１移相器５３は、第１可変減衰器５２から与えられる送信信号に対して位相調整を行う。第１移相器５３は、第１実施形態の第１移相器１５と同様、半導体を用いた移相器で構成されている。
また、第１移相器５３は、制御用インターフェース部４２から与えられる制御命令に基づいて、送信信号の位相を調整する。
第１移相器５３は、位相を調整した送信信号を当該第１移相器５３の後段に接続された電力増幅器５４に与える。
【００８６】
電力増幅器５４は、第１移相器５３から与えられる送信信号を増幅する。電力増幅器５４は、増幅した送信信号を当該電力増幅器５４の後段に接続された第１共用器５０に与える。
第１共用器５０は、電力増幅器５４から与えられる送信信号をアンテナ素子５ａ１に与える。
これによって、送信信号は、アンテナ素子５ａ１から空間に放射され、無線信号として送信される。
【００８７】
ここで、各アンテナモジュール４１の第１移相器５３は、上述のように接続されることで、分配合成部４０と、電力増幅器５４との間であって、電力増幅器５４の前段に設けられている。
各アンテナモジュール４１の第１移相器５３は、制御命令によって個別的に制御される。各第１移相器５３は、ベースバンドユニット２から与えられる制御命令に従って送信信号の位相調整を行うことによって、送信信号が各アンテナモジュール４１のアンテナ素子５ａ１それぞれから無線信号として送信されたときのアンテナ素子群５ａとしてのチルト角を調整することができる。
【００８８】
本実施形態のアンテナシステム３においても、第１移相器５３は、電力増幅器５４の前段に設けられているので、小型の移相器を第１移相器５３として使用することが可能となる。本実施形態では、小型の移相器として半導体を用いた移相器を第１移相器５３として用いている。この結果、第１移相器５３の設置スペースの確保が容易となる。
【００８９】
また、アンテナモジュール４１は、さらに、第１共用器５０と、第２共用器５１との間に、低雑音増幅器５５と、第２移相器５６と、第２可変減衰器５７とを備えている。
第１共用器５０には、アンテナ素子５ａ１が受信した受信信号が与えられる。第１共用器５０は、アンテナ素子５ａ１から与えられる受信信号を第１共用器５０に接続された低雑音増幅器５５に与える。
【００９０】
低雑音増幅器５５は、与えられる受信信号を増幅する。低雑音増幅器５５は、増幅した受信信号を当該低雑音増幅器５５の後段に接続された第２移相器５６に与える。
第２移相器５６は、低雑音増幅器５５から与えられる受信信号に対して位相調整を行う。第２移相器５６は、第１移相器５３と同様、半導体を用いた移相器で構成されている。
また、第２移相器５６は、制御用インターフェース部４２から与えられる制御命令に基づいて、受信信号の位相を調整する。
第２移相器５６は、位相を調整した受信信号を当該第２移相器５６の後段に接続された第２可変減衰器５７に与える。
【００９１】
第２可変減衰器５７は、第２移相器５６から与えられる受信信号に対して位相調整を行う。また、第２可変減衰器５７は、制御用インターフェース部４２から与えられる制御命令に基づいて、受信信号の振幅を調整する。
第２可変減衰器５７は、振幅を調整した受信信号を当該第２可変減衰器５７の後段に接続された第２共用器５１に与える。
第２共用器５１は、第２可変減衰器５７から与えられる受信信号を電力分配合成部４０に与える。
電力分配合成部４０は、上述のように、各アンテナモジュール４１から与えられる受信信号を合成した合成信号をリモートラジオヘッド３０に与える。リモートラジオヘッド３０は、アンテナシステム３から与えられた合成信号を増幅した上でデジタル信号である受信ベースバンド信号に変換し、ベースバンドユニット２に与える。
【００９２】
ここで、各アンテナモジュール４１の第２移相器５６は、制御命令によって個別的に制御される。各第２移相器５６は、ベースバンドユニット２から与えられる制御命令に従って受信信号の位相調整を行う。これによって、各第２移相器５６は、アンテナ素子群５ａによって信号が受信されたときのアンテナ素子群５ａとしてのチルト角を調整することができる。
【００９３】
以上のように、本実施形態のアンテナシステム３は、リモートラジオヘッド３０から与えられる当該リモートラジオヘッド３０が増幅した送信信号をアンテナ素子５から送信するとともに、複数のアンテナ素子５により受信した受信信号をリモートラジオヘッド３０に与える。
【００９４】
本実施形態のアンテナシステム３は、信号処理装置としてのリモートラジオヘッド３０との間で送受信信号の授受を行うための信号線である同軸ケーブル３２を接続するためのＲＦコネクタ３３（接続端子）を備えており、電力分配合成部４０は、リモートラジオヘッド３０との間で送受信信号の授受を行うように構成されている。
【００９５】
この場合、リモートラジオヘッド３０から与えられる当該リモートラジオヘッド３０が増幅したアナログの送信信号の電力が無線送信に必要な電力に満たない場合や、リモートラジオヘッド３０からのアナログの送信信号の電力をより大きな電力にする必要がある場合に、ＲＦコネクタ３３を通じてリモートラジオヘッド３０から与えられるアナログの送信信号を、電力増幅器５４によって補完的に増幅して送信することができる。
また、複数のアンテナ素子５が受信する受信信号の電力が受信に必要な電力に満たない場合や、アンテナ素子５が受信する受信信号の電力をより大きな電力にする必要がある場合、低雑音増幅器５５によって受信信号を増幅することができる。
このように、本実施形態のアンテナシステム３によれば、アンテナ素子５によって送受信される送受信信号を補完的に増幅することができる。
【００９６】
本実施形態のアンテナシステム３は、ＲＦコネクタ３３を備えることで、アナログの送信信号の授受が可能であるとともに、ＡＩＳＧ規格に準拠した制御用コネクタ３５からアンテナシステム３を制御するための制御命令を受け付けることができる。
【００９７】
ここで、従来のアンテナシステムでは、アナログの無線周波数の送受信信号の授受を行うためのＲＦコネクタ、及びＡＩＳＧ規格に準拠した制御用コネクタを備え、位相調整が可能なアレイアンテナを備えたパッシブアンテナとして構成されることがあり、このようなアンテナシステムでは、通常、リモートラジオヘッドに接続されて用いられる。
【００９８】
これに対して、本実施形態のアンテナシステム３は、従来のアンテナシステムと同様のインターフェースを有しているので、インターフェースを大きく変更することなく、パッシブアンテナとして構成されている従来のアンテナシステムから容易に置き換えることができる。
さらに、本実施形態のアンテナシステム３は、従来のアンテナシステムと同様のインターフェースを有しているので、ＩＯＴ（ｉｎｔｅｒ  ｏｐｅｒａｂｉｌｉｔｙ  ｔｅｓｔ：相互互換テスト）も容易となる。
【００９９】
また、このようにアンテナシステムを置き換えるだけで、各アンテナ素子５のそれぞれに移相器が設けられることで送受信信号の制御性や特性が良好な本実施形態のアンテナシステム３を利用することができ、容易に基地局装置１の送受信機能を高めることができる。
【０１００】
なお、上記各実施形態のアンテナシステム３では、一対のアンテナ素子群５ａ、５ｂを備えることで、２つの信号系統によって無線通信に係る無線信号の送受信を行うように構成した場合を例示したが、１つの信号系統で構成してもよいし、より多数の信号系統によって無線信号の送受信を行うように構成することもできる。
【０１０１】
また、上記各実施形態では、移相器を半導体を用いた移相器で構成した場合を例示したが、処理可能な信号電力が比較的低い小型の移相器であれば、半導体を用いた移相器以外の他の移相器（例えば、強誘電体素子や、フェライト素子、ＭＥＭＳ（Ｍｉｃｒｏ−Ｅｌｅｃｔｒｏ−Ｍｅｃｈａｎｉｃａｌ  Ｓｙｓｔｅｍｓ）等による移相器）を用いてもよい。
【０１０２】
また、上記第２実施形態では、アンテナモジュール４１において、第１移相器５３が第１可変減衰器５２の後段に接続され、第２可変減衰器５７が第２移相器５６の後段に接続されている場合を例示したが、第１移相器５３が第１可変減衰器５２の前段に接続され、第２可変減衰器５７が第２移相器５６の前段に接続されていてもよい。
【０１０３】
〔評価試験について〕
本発明者らは、上記第１記実施形態のアンテナシステム３について、チルト角を変化させたときの利得について評価を行った。
実施例としては、各アンテナ素子それぞれに移相器を備えた上記第１実施形態のアンテナシステムを採用し、比較例としては、図８にて示したように、サブアレイごとに１つの移相器を備えたアンテナシステムを採用した。
なお、移相器以外の構成は、実施例及び比較例でできるだけ同等となるように設定した。
【０１０４】
上記実施例及び比較例について、コンピュータによるシミュレーションによって両アンテナシステムのチルト角が所定の値となるように位相調整したときの利得を比較した。
チルト角は、１２度と、３１度の２種類に設定した。
【０１０５】
図７は、評価結果を示すグラフであり、（ａ）は、チルト角が１２度となるように設定した場合の利得を示す図、（ｂ）は、チルト角が３１度となるように設定した場合の利得を示す図である。図中、横軸はチルト角、縦軸は利得を示している。
【０１０６】
図７（ａ）において、チルト角が１２度の利得を見ると、実施例及び比較例共に相対的に高い値が得られていることが判る。
一方、図７（ｂ）において、チルト角が３１度の利得を見ると、実施例では高い値が得られているが、比較例では、３１度以外の他の角度の利得の方がより高い値となっており、アンテナシステムとしてチルト角が３１度となるように設定したとしても、実際の無線信号は、その設定に従ったチルト角となっていないことが判る。
【０１０７】
以上の結果から、比較例では、設定したチルト角が小さい場合には送信特性の劣化は生じないが、チルト角が大きくなるように設定した場合には、利得の低下が生じ、送信特性の劣化が見られる。
一方、実施例では、チルト角が比較的大きくなるように設定したとしても、十分な利得が得られ、送信特性の劣化が抑制されていることが確認できる。
【０１０８】
以上のように、上記評価試験の結果から、本実施形態のアンテナシステムによれば、チルト角を広範囲に設定したとしても送信特性の劣化が抑制されることを確認できた。
【０１０９】
〔その他〕
なお、今回開示された実施の形態はすべての点で例示であって制限的なものではないと考えられるべきである。本発明の範囲は、上記した意味ではなく、特許請求の範囲によって示され、特許請求の範囲と均等の意味、及び範囲内でのすべての変更が含まれることが意図される。
【符号の説明】
【０１１０】
１  基地局装置
２  ベースバンドユニット
３  アクティブアンテナシステム
３ａ  筐体
４  信号伝送路
５  アンテナ素子
５ａ  アンテナ素子群
５ｂ  アンテナ素子群
５ａ１  アンテナ素子
５ｂ１  アンテナ素子
７  信号伝送路
８  送信部
９  インターフェース部
１０  デジタル信号処理部
１１  デジタルアナログ変換器
１２  処理部
１３  分配器
１５  第１移相器
１６  電力増幅器（第１増幅器）
１７  アンテナ共用器
２０  受信部
２１  低雑音増幅器（第２増幅器）
２２  第２移相器
２３  合成器
２４  処理部
２５  アナログデジタル変換器
３０  リモートラジオヘッド（信号処理装置）
３１  信号伝送路
３２  同軸ケーブル
３３  ＲＦコネクタ（接続端子）
３４  制御ケーブル
３５  制御用コネクタ
４０  電力分配合成部
４１  アンテナモジュール
４２  制御用インターフェース部
５０  第１共用器
５１  第２共用器
５２  第１可変減衰器
５３  第１移相器
５４  電力増幅器（第１増幅器）
５５  低雑音増幅器（第２増幅器）
５６  第２移相器
５７  第２可変減衰器
【図１】
0006476770.tif 000002
【図２】
0006476770.tif 000003
【図３】
0006476770.tif 000004
【図４】
0006476770.tif 000005
【図５】
0006476770.tif 000006
【図６】
0006476770.tif 000007
【図７】
0006476770.tif 000008
【図８】
0006476770.tif 000009